(57)【要約】【課題】  製造コストを安価にし、照明形式の変更に対応可能であり、光源の交換作業を容易にする。【解決手段】  遊技機の一例であるスロットマシンは、リールの内側からリール表面に設けられた図柄を照明する照明装置３０を備える。照明装置３０は、入賞ライン上に移動した図柄を照明する複数のＬＥＤ３１と、これらのＬＥＤ３１を収容可能なハウジングとを備える。ハウジングには、ＬＥＤが取り付けられてハウジング４０に着脱自在に取り付けられるＬＥＤ基板４５’と、上下に隣接するＬＥＤ同士の間を仕切る仕切り部材とが設けられ、ＬＥＤ３１の点灯方式に応じてＬＥＤ基板４５’及び仕切り部材が設けられる。【選択図】  図５
2006130173.tif 000002
【特許請求の範囲】
【請求項１】
表面の周方向に複数の図柄を配設して回転動可能に支持されたリールの内側から特定位置に移動した図柄を照明する照明装置を備えた遊技機において、
前記照明装置は、前記移動した図柄を照明する複数の光源と、該複数の光源を収容可能なハウジングとを備え、
前記ハウジングには、前記光源が取り付けられて該ハウジングに着脱自在に設けられる裏板と、隣接する光源同士の間を仕切る仕切り部材とが設けられ、
前記光源の点灯方式に応じて前記裏板及び前記仕切り部材が設けられることを特徴とする遊技機。
【請求項２】
前記裏板を、前記光源の点灯方式に応じて所定の傾斜角度を有して設けることを特徴とする請求項１に記載の遊技機。
【請求項３】
前記ハウジングに設けられて隣接する裏板のうちの一方の裏板を、該裏板に取り付けられた光源が他方の裏板に取り付けられた光源によって照射される場所と同一場所を照射可能に前記ハウジングに設けることを特徴とする請求項２に記載の遊技機。
【請求項４】
前記仕切り部材は、前記ハウジングに設けられた嵌合部に着脱可能に設けられることを特徴とする請求項１から３のいずれかに記載の遊技機。
【発明の詳細な説明】
【技術分野】
【０００１】
本発明は、遊技機に関し、さらに詳細には、表面の周方向に複数の図柄を配設して回転動可能に支持されたリールの内側から特定位置に移動した図柄を照明する照明装置を備えた遊技機に関する。
【背景技術】
【０００２】
このような照明装置を備えた遊技機は、パチンコ遊技機、スロットマシン、雀球機及びパチスロマシンやゲームセンタで用いられているゲーム機等の箱形遊技機に装着されている。
【０００３】
このような遊技機のなかで、箱形遊技機の１つであるスロットマシンにおいては、一般的に、スタートレバー又はスタートボタンを操作することによって、複数個のリールを回転させ、ストップボタンを操作することにより各リールの回転を順次停止させ、停止した際のリールの組み合わせによりメダル又は球を払い出すように構成されている。
【０００４】
図柄を表示するために用いられるリールは、種々の図柄を表示したリールテープを外周面に貼り付けたドラムが用いられ、ドラムの内側にはリールテープの裏側から図柄を照明する光源を備えた照明装置が設けられている（特許文献１参照）。この照明装置は、リールを構成するリールドラムの内部に複数の間仕切りにより仕切られた部屋を有したランプケースが設けられ、各部屋にＬＥＤ等の光源が設けられている。
【０００５】
【特許文献１】特開２００３−６２１５２号公報
【発明の開示】
【発明が解決しようとする課題】
【０００６】
ここで、スロットマシンでは、前面扉に設けられたフロントパネルのリール露出窓に入賞ラインが表示されている。この入賞ラインは、横３本及びこれら横方向の入賞ラインのうちで上下に位置する入賞ラインの端部同士を繋いだ斜め２本が設けられており、各ライン上の図柄を照明するようになっている。このため、照明装置内に設けられている光源は、横３本の入賞ラインに対応するレイアウトで上下方向に沿って３個並べられて、３ラインを照明可能な構成となっている。
【０００７】
しかしながら、各光源が予め仕切られた部屋内に設けられたランプケースを用いた場合、ユーザの様々な嗜好に合わせて入賞ラインを変更する場合、例えば、横３本、斜め２本の５ライン方式以外のライン照明が必要な場合や、より多くの図柄を照らす場合には、照明装置全体を、入賞ラインが変更される機種毎に交換する必要があり、スロットマシンのコストの増加を招く虞があった。
【０００８】
また、ランプケースに装着されている光源を交換する際には、光源が設けられた部屋は狭い空間である関係上、光源の取り出しや装着がし難く、交換作業に手間がかかるという不都合があり、この点からも照明装置、つまり、ランプケースそのものを交換することが多かった。
【０００９】
本発明は、このような問題に鑑みてなされたものであり、製造コストを増加させることなく照明形式の変更に対応することができ、光源の交換作業が容易に行なえる照明装置を備えた遊技機を提供することを目的とする。
【課題を解決するための手段】
【００１０】
このような課題を解決するため、本発明は、表面の周方向に複数の図柄を配設して回転動可能に支持されたリールの内側から特定位置に移動した図柄を照明する照明装置を備えた遊技機（例えば、実施の形態におけるスロットマシン１）において、照明装置は、移動した図柄を照明する複数の光源（例えば、実施の形態におけるＬＥＤ３１）と、該複数の光源を収容可能なハウジングとを備え、ハウジングには、光源が取り付けられて該ハウジングに着脱自在に設けられる裏板（例えば、実施の形態におけるＬＥＤ基板４５、４５’）と、隣接する光源同士の間を仕切る仕切り部材とが設けられ、光源の点灯方式に応じて裏板及び仕切り部材が設けられることを特徴とする。
【００１１】
この発明によれば、光源の点灯方式に応じて光源が取り付けられた裏板及び仕切り部材がハウジングに設けられることによって、光源の使用形態に応じて仕切り部材や裏板の設置状態を変えることができる。このため、光源の使用形態に関係なくハウジングを他の機種の遊技機に共用することができ、製造コストの増加を防止することができる。また裏板はハウジングに着脱自在に設けられるので、裏板をハウジングから取り外すことで、裏板に取り付けられた光源を容易に交換することができる。
【００１２】
また本発明は、裏板を、光源の点灯方式に応じて所定の傾斜角度を有して設けることを特徴とする。
【００１３】
この発明によれば、裏板を光源の点灯方式に応じて所定の傾斜角度を有して設けることにより、特定位置に移動した図柄を複数の光源によって照明することができ、図柄の照明方法を多様化することができる。その結果として照明形式の変更に柔軟に対応することができる。
【００１４】
また本発明は、ハウジングに設けられて隣接する裏板のうちの一方の裏板を、該裏板に取り付けられた光源が他方の裏板に取り付けられた光源によって照射される場所と同一場所を照射可能にハウジングに設けることを特徴とする。
【００１５】
この発明によれば、隣接する裏板のうちの一方の裏板を、これに取り付けられた光源が他方の裏板の光源によって照射される場所と同一場所を照射可能にハウジングに設けることによって、図柄を照らす光の光量を増加することができ、照らされた図柄の明るさが向上し、照らされた図柄を遊技者の視覚に強く訴えることができる。
【００１６】
さらに本発明は、仕切り部材は、ハウジングに設けられた嵌合部に着脱可能に設けられることを特徴とする。
【００１７】
この発明によれば、仕切り部材をハウジングに設けられた嵌合部に着脱可能に設けることにより、仕切り部材のハウジングへの着脱操作を容易にすることができる。また照明形態が変更しても、この変更に応じて仕切り部材をハウジングに装着するだけで、照明形態の変更に対応することができる。さらに照明形態に関わりなくハウジングは共通部品として使用できるので、遊技機の製造コストの増加を防止することができる。
【発明の効果】
【００１８】
本発明によれば、光源の点灯方式に応じて光源が取り付けられた裏板及び仕切り部材をハウジングに設けることによって、製造コストを増加させることなく照明形式の変更に対応することができ、光源の交換作業が容易に行なえる照明装置を備えた遊技機を提供することができる。
【発明を実施するための最良の形態】
【００１９】
以下、本発明に係わる遊技機の好ましい実施の形態を図１から図５に基づいて説明する。本実施の形態は、複数の遊技機のうちスロットマシンを例にして説明する。
【００２０】
スロットマシン１は、図１（正面図）に示すように、遊技者に面するフロントドア１０と、フロントドア１０を開閉自在に取り付けた図２に示す筐体５０とを有して構成される。フロントドア１０は、機械的に強固な硬質プラスチック製であり、上部パネル部１３、中部パネル部１４及び下部パネル部１５を備えて構成されている。上部パネル部１３には、演出用の上部ランプ１３ａと演出用の効果音を発するスピーカが裏面側に取り付けられた放音部１３ｂ，１３ｃと、液晶ディスプレイ等で形成された演出表示装置１３ｄとが配設されている。
【００２１】
中部パネル部１４には、透明な硬質プラスチック板で形成された略長方形状の透過窓ＷＤと、演出用ランプ１４ａ，１４ｂが設けられ、図２に示す筐体５０内に設けられているリール装置６０のリールＲ１，Ｒ２，Ｒ３を、遊技者が透過窓ＷＤを介して見ることが可能となっている。
【００２２】
中部パネル部１４の下端部には、遊技者が操作するための操作部１６が設けられ、この操作部１６には、スロットマシンゲームを行うのに必要な遊技メダルを投入するためのメダル投入部ＭＤと、１ゲーム当たりのメダル数を提示するためのベットボタンＢ１，Ｂ２と、１ゲームの開始を指示するためのスタートレバーＳＴと、回転中のリールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２３】
更に、メダル投入部ＭＤの近傍には、フロントドア１０を開錠するための鍵穴ＫＹが設けられ、遊技場側の事業者や管理者が、鍵穴ＫＹに正規の鍵を挿入して開錠操作すると、図２に示す施錠機構ＬＫを解除し、フロントドア１０を図２に示す筐体５０から開くことが可能となっている。
【００２４】
下部パネル部１５には、本スロットマシン１のゲーム内容を紹介等するための画像（図示略）が描かれており、更に遊技者の獲得した枚数の遊技メダルを払い出すための排出口１５ａ及び受皿１５ｂと、スピーカが取り付けられた放音部１５ｃが設けられている。
【００２５】
次に、図２を参照して、フロントドア１０の裏面構造と、筐体５０の内部構造を概説する。なお、図２はフロントドア１０を開錠して筐体５０から開いた状態を表している。
【００２６】
図２に示すように、フロントドア１０の裏面上部には、前述した放音部１３ｂ，１３ｃを構成するスピーカＳＲ，ＳＬが設けられ、スピーカＳＲ，ＳＬの間には演出表示装置１３ｄが設けられている。演出表示装置１３ｄの裏面側には、電気回路基板で形成されたサブ制御基板２０が取り付けられている。サブ制御基板２０は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１３ｄの裏面側に重なるようにして取り付けられている。
【００２７】
演出表示装置１３ｄとサブ制御基板２０の下方には、前述した透過窓ＷＤと中部パネル部１４のパネル面とが形成された略長方形状の枠体１４ｃが取り付けられている。枠体１４ｃの下方には、メダル投入部ＭＤより投入された投入物が正規の遊技メダルか異物かを判別して振り分けるセレクト機構Ｇ０と、セレクト機構Ｇ０で振り分けられた遊技メダルを筐体５０側に設けられているホッパ装置ＨＰへ案内するガイド部材Ｇ１と、セレクト機構Ｇ０で振り分けられた異物を排出口１５ａへ案内するガイド部材Ｇ２と、ホッパ装置ＨＰから出力される払い出し用のメダルを排出口１５ａへ案内するガイド部材Ｇ３が設けられ、更に排出口１５ａの近傍には、前述した放音部１５ｃを構成するスピーカＳＷが取り付けられている。
【００２８】
枠体１４ｃとセレクト機構Ｇ０との間には、長尺状の電気回路基板で形成された中央表示基板７０が取り付けられている。中央表示基板７０はサブ制御基板２０と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００２９】
セレクト機構Ｇ０の側方には前述した施錠機構ＬＫが設けられ、筐体５０の一端にロック部材ＬＯが固定されている。そして、フロントドア１０を筐体５０側に閉じると、施錠機構ＬＫがロック部材ＬＯに嵌着することによってフロントドア１０を施錠する。一方、前述したように正規の鍵で開錠操作すると、施錠機構ＬＫがロック部材ＬＯから外れることによってフロントドア１０を開錠することができる。
【００３０】
さて、筐体５０内には、主電源装置ＰＷＵと、ホッパ装置ＨＰから溢れた遊技メダルを収容するための補助貯留部ＳＨＰが設けられる他、前述した透過窓ＷＤに対向するリールＲ１，Ｒ２，Ｒ３とこれらリールＲ１，Ｒ２，Ｒ３を回転駆動する電動モータ（図示略）とを備えたリール装置６０が設けられている。
【００３１】
主電源装置ＰＷＵの側面には電源装置基板７２が取り付けられ、リール装置６０の上端には回胴装置基板７４が取り付けられ、リール装置６０の上方には主制御基板７６が取り付けられ、筐体５０の内壁の一端には外部集中端子としての外部集中端子基板７８が取り付けられている。
【００３２】
電源装置基板７２、回胴装置基板７４、主制御基板７６、外部集中端子基板７８は、前述したサブ制御基板２０及び中央表示基板７０と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３３】
ただし、サブ制御基板２０と主制御基板７６は、夫々硬質プラスチックの保護ケース内に個別に収納されたユニット構造となっている。
【００３４】
以上のように構成されたスロットマシン１のリール装置６０は、図３（斜視図）に示すように、横方向に並べられた３つのリールＲ１，Ｒ２，Ｒ３を回動自在に支持するリールケース本体６１と、これらのリールの背面側を覆う図示しないリールケースカバーとを有して構成される。リールＲ１，Ｒ２，Ｒ３は、リールケース本体６１の前側に形成されている開口部６１ａからその前側部分が露出しており、このリールＲ１，Ｒ２，Ｒ３の露出部が図１に示す透過窓ＷＤを介して目視されるように、リール装置６０は図２に示す筐体５０に取り付けられている。リールＲ１，Ｒ２，Ｒ３の外周面には周方向に沿って複数の図柄が配設されており、図１に示す透明窓ＷＤは、各リールＲ１，Ｒ２，Ｒ３に描かれている図柄を３列分視認可能な大きさに形成されている。このため、例えば、リールＲ１，Ｒ２，Ｒ３が停止すると、遊技者は、図１中に示されている５本の２点鎖線（仮想線）で示す入賞ラインＬに沿って横又は斜めに並んだ合計９個の図柄を、透明窓ＷＤを介して目視することができる。
【００３５】
各リールＲ１，Ｒ２，Ｒ３の内側には透過窓ＷＤに面した位置に移動した図柄を照明する照明装置３０が配設されている。照明装置３０は、図４に示すように、図柄を照明する光源となる複数のＬＥＤ３１と、これらのＬＥＤ３１を収容可能なハウジング４０とを備える。ハウジング４０は略長方形状に形成された枠体４１と、枠体４１内の空間部４１ａを区切る仕切り部材４３と、枠体４１の後側に着脱自在に装着されてＬＥＤ３１が取り付けられたＬＥＤ基板４５とを有して構成される。
【００３６】
枠体４１は、図５（ａ）及び（ｂ）に示すように、合成樹脂材料で成形され、左右方向に所定間隔を有して配置された一対の側板４１ｂ、４１ｂ'と、これらの上端部間及び下端部間に繋がる天板４１ｃ及び底板４１ｄとを有して構成される。枠体４１の内側には、一対の側板４１ｂ、４１ｂ'、天板４１ｃ及び底板４１ｄによって囲まれる前述した空間部４１ａが形成されている。側板４１ｂ、４１ｂ'は、略長方形状であり、この前側及び後側の上下両端部には切欠き４１ｂ１、４１ｂ２が形成されている。前側の切り欠き４１ｂ１によって、枠体４１をリールＲ１，Ｒ２，Ｒ３の周面内側位置に近接配置したときに、枠体４１の前側端部がリールＲ１，Ｒ２，Ｒ３の周面内側に接触するのを防止する。一方、後側の切り欠き４１ｂ２は、図５（ｃ）及び（ｄ）に示す前側に傾斜して装着されるＬＥＤ基板４５'の取り付け方向に沿って延びている。
【００３７】
このような外形を有した側板４１ｂ'の内側後部の上下両端部には、図５（ａ）及び（ｂ）に示すように、空間部４１ａ内に突出して上下方向に延びる一対の前側移動規制部３２が形成され、他方の側板４１ｂの内側後部の上下両端部には、空間部４１ａ内に突出した突起部３３ａを備えた後側移動規制部３３が形成されている。一対の前側移動規制部３２は同一直線上に配置され、且つ後側移動規制部３３の突起部３３ａよりも前方に配置されており、図６（ａ）及び（ｃ）に示すように、ＬＥＤ基板４５の前面を前側移動規制部３２の後面に突き当て、ＬＥＤ基板４５の後面を後側移動規制部３３の突起部３３ａに係合させると、このＬＥＤ基板４５を枠体４１の後部に位置決めした状態で取り付けることができる。
【００３８】
後側移動規制部３３は、前後方向に延びるアーム部３３ｂと、この先端部に形成されて空間部４１ａ側へ延びる前述した突起部３３ａと、先端部に形成されて外側へ延びる把持部３３ｃとを有してなる。アーム部３３ｂは、基部が側板４１ｂに繋がって後方側へ延びており、いわゆる片持ち支持された状態で側板４１ｂに繋がっている。このため、アーム部３３ｂの先端部に横方向成分を有した外力が作用すると、アーム部３３ｂは基部を揺動支点として横方向に弾性変形して撓む。突起部３３ａは、前側移動規制部３２と突起部３３ａとの間にＬＥＤ基板４５を装着したときに、アーム部３３ｂの弾性変形によって突起部３３ａを介してＬＥＤ基板４５に前側方向の力が作用するように、前側移動規制部３２よりも後方側に所定距離を有した位置に配置されている。これによって、ＬＥＤ基板４５をハウジング４０の後部に位置決めした状態で取り付けることができる。
【００３９】
また、この状態で把持部３３ｃを外側に引っ張ると、アーム部３３ｂが外側方向に弾性変形して撓み、突起部３３ａによって係止されているＬＥＤ基板４５の係止状態を解除することができる。このため、ＬＥＤ基板４５を枠体４１から容易に取り外すことができる。
【００４０】
前側移動規制部３２及び後側移動規制部３３によって取り付けられるＬＥＤ基板４５は、長方形状であって、枠体４１の空間部４１ａの断面形状と略同一形状を有する。これによって、ＬＥＤ基板４５を枠体４１の後部に装着すると、空間部４１ａの後側の領域を塞ぐことができる。ＬＥＤ基板４５には上下方向に所定間隔を有して３列に配置された複数のＬＥＤ３１が設けられている。なお、光源としてＬＥＤ３１の他に電球を用いたり、ＬＥＤ３１と電球を併せて用いたりしてもよい。
【００４１】
また各側板４１ｂ、４１ｂ'の内側中間部には、図５（ａ）及び（ｂ）に示すように、内側へ突出して中央部に嵌合溝３５ａを有して前後方向に延びる２つの嵌合部３５が形成されている。嵌合溝３５ａは前後方向に延びて嵌合部３５を突き抜ける。各嵌合部３５は、側板４１ｂ、４１ｂ’を上下方向に３分割する位置に配置されている。これによって、下側の左右方向に対向する一対の嵌合溝３５ａと上側の左右方向に対向する一対の嵌合溝３５ａに仕切り部材４３を挿着すると、図６（ａ）に示すように、空間部４１ａを３つに区切ることができる。
【００４２】
仕切り部材４３は板状であり、横方向長さは空間部４１ａのそれと略同一長さを有し、奥行き長さはＬＥＤ基板４５が枠体４１に装着された状態で、このＬＥＤ基板４５の前面から枠体４１の前端部までの長さより僅かに短い長さを有する。これによって、空間部４１ａは仕切り部材４３によって奥行きの深い３つの空間部に分割される。
【００４３】
さて、図６（ｃ）及び（ｄ）に示すように、一方の側板４１ｂ’の内側の後端部には、空間部４１ａ内に突出して上下方向に延びる複数の前側移動規制部３２が形成され、他方の側板４１ｂの内側後端部には、空間部４１ａ内に突出して上下方向に延びる複数の移動案内部３６が形成されている。側板４１、４１ｂ’の後側の上下両端部に形成された切欠き４１ｂ１、４１ｂ２の近傍位置に設けられた前側移動規制部３２及び移動案内部３６は、切欠き４１ｂ１、４１ｂ２と略同一方向に延びる。また側板４１、４１ｂ’後側の中央部に形成された前側移動規制部３２及び移動案内部３６は、上下方向に延びる。前側移動規制部３２及び移動案内部３６はこれらの間に図５（ｃ）に示すＬＥＤ基板４５’が挿着可能な隙間を形成するように配置されている。さらに一方の側板４１ｂ’の内側の後端部には、空間部４１ａ内に突出して上下方向に延びる複数の後側移動規制部３３が形成されている。この後側移動規制部３３は、前述した図５（ｂ）に示す後側移動規制部３３と同一構造であるので、同一態様部分については同一符号を附してその説明を省略する。
【００４４】
これによって、前側移動規制部３２及び移動案内部３６間にＬＥＤ基板４５’が挿入されると、図５（ｃ）及び（ｄ）に示すように、挿入されたＬＥＤ基板４５’は後側移動規制部３３によって前側に押し付けられ状態で位置決めされて枠体４１に装着される。ここで、中央部に装着されたＬＥＤ基板４５’は略垂直方向に延び、上下両側に装着されたＬＥＤ基板４５’は前側に傾斜している。このため、中央部のＬＥＤ基板４５’に設けられた図５（ａ）に示すＬＥＤ３１が照射する図柄を、上下両側のＬＥＤ基板４５’に設けられたＬＥＤ３１も照射可能に側板４１ｂ、４１ｂ’を設計すると、ＬＥＤの点灯方式、つまり３ライン、２ライン、１ライン点灯に応じた照明装置にすることができる。例えば、ハウジング４０の上部及び下部に装着されたＬＥＤ基板４５’を、これらＬＥＤ基板４５’に取り付けられたＬＥＤ３１が中央部のＬＥＤ基板４５’に取り付けられたＬＥＤ３１によって照射される図柄と同一図柄を照射可能にハウジング４０に設けることで、１ライン点灯の照明装置にすることができる。
【００４５】
このように構成された照明装置３０を備えたスロットマシン１は、仕切り部材４３やＬＥＤ基板４５，４５’がハウジング４０の枠体４１に着脱可能であるので、ＬＥＤ３１の点灯方式に応じて仕切り部材４３やＬＥＤ基板４５、４５’を枠体４１に装着することができる。つまり、３ライン点灯方式では、上下の各嵌合部３５に仕切り部材４３を装着するとともに、３つのＬＥＤ基板４５’を枠体４１に装着し、１ライン点灯方式では、仕切り部材４３を設けずに、ＬＥＤ基板４５を枠体４１に装着する。このため、照明装置３０は、３ライン用のＬＥＤ基板４５’や１ライン用のＬＥＤ基板４５を共用することができ、光源の点灯方式に関係なくさまざまな仕様のスロットマシンの共通部品として用いることができる。その結果、スロットマシン１の製造コストを安価にすることができる。
【００４６】
またＬＥＤ基板４５，４５’がハウジング４０に対して着脱可能であるので、ＬＥＤ３１を交換したいときは、交換したいＬＥＤが搭載されたＬＥＤ基板４５，４５’をハウジング４０から脱着してＬＥＤ３１を交換したり、新たなＬＥＤ基板と交換すればよい。このため、光源の交換作業を容易に行うことができる。
【００４７】
またハウジング４０の上下に装着されるＬＥＤ基板４５’の傾斜角度を所定の角度に設計することにより、照らされる図柄の照明光の光量を変えることができ、入賞などの機会が近づくようなときに点灯状態を変えることで、趣向を凝らすことができる。
【００４８】
なお、前述した実施の形態では、ハウジング４０は３ライン分の光源を収容可能なものを示したが、３ライン以上のものでもよい。また、前述では、スロットマシン１を例にしたが、パチンコ機やゲーム機などを対象にしてもよい。
【図面の簡単な説明】
【００４９】
【図１】本発明の一実施の形態に係わるスロットマシンの正面図を示す。
【図２】このスロットマシンのフロントドアを筐体から開いた状態の内部構造図を示す。
【図３】リールユニットの部分斜視図を示す。
【図４】リール内に設けられた照明装置の斜視図を示す。
【図５】３枚のＬＥＤ基板が取り付けられた照明装置を示し、同図（ａ）及び（ｂ）は、照明装置の前側斜視図であり、同図（ｃ）及び（ｄ）は、照明装置の後側斜視図である。
【図６】１枚のＬＥＤ基板が取り付けられた照明装置を示し、同図（ａ）及び（ｂ）は、照明装置の前側斜視図であり、同図（ｃ）及び（ｄ）は、照明装置の後側斜視図である。
【符号の説明】
【００５０】
１  スロットマシン（遊技機）
３０  照明装置
３１  ＬＥＤ（光源）
３５  勘合部
４０  ハウジング
４３  仕切り部材
４５、４５’  ＬＥＤ基板（裏板）
Ｒ１、Ｒ２、Ｒ３  リール
【図１】
2006130173.tif 000003
【図２】
2006130173.tif 000004
【図３】
2006130173.tif 000005
【図４】
2006130173.tif 000006
【図５】
2006130173.tif 000007
【図６】
2006130173.tif 000008